【手続補正書】
【提出日】平成24年1月12日(2012.1.12)
【手続補正１】
【補正対象書類名】特許請求の範囲
【補正対象項目名】全文
【補正方法】変更
【補正の内容】
【特許請求の範囲】
【請求項１】
被写体像を画像データとして出力する撮像部と、
上記撮像部の画像データ出力領域の縦横及び／又はアスペクト比を制御する撮像領域制御部と、
被写体からの光線を上記撮像部へ導く、又はファインダへ導くように可動ミラーを制御するミラー制御部と、
上記被写体からの光線を上記撮像部へ露光状態にする、又は遮光状態にするようにシャッタを制御するシャッタ制御部と、
上記画像データ出力領域と上記可動ミラーの状態とに応じて、上記シャッタ制御部の駆動タイミングを制御するシャッタ駆動制御部と、
上記画像データ出力領域と上記シャッタの状態とに応じて、上記ミラー制御部の駆動タイミングを制御するミラー駆動制御部と、
を有することを特徴とする撮像装置。
【請求項２】
上記シャッタ駆動制御部は、上記可動ミラーが、上記被写体からの光線を上記ファインダへ導く状態から上記撮像部へ導く状態へ移動する際、上記画像データ出力領域への光線を上記可動ミラーが遮らない位置にいる時点で、上記シャッタ制御部の駆動を開始することを特徴とする請求項１に記載の撮像装置。
【請求項３】
上記ミラー駆動制御部は、上記シャッタが、上記被写体からの光線を露光状態から遮光状態へ駆動する際、上記画像データ出力領域への光線を上記シャッタが遮光し終わる位置にいる時点で、上記ミラー制御部の駆動を開始することを特徴とする請求項１または請求項２に記載の撮像装置。
【請求項４】
上記シャッタ駆動制御部は、上記可動ミラーが、上記被写体からの光線を上記ファインダへ導く状態から上記撮像部へ導く状態へ移動する際、上記画像データ出力領域への光線を上記可動ミラーが遮らない位置にいる時点で、上記画像データ出力領域への光線を上記シャッタ露光し始めるように、上記シャッタ制御部の駆動タイミングを制御することを特徴とする請求項１に記載の撮像装置。
【請求項５】
上記ミラー駆動制御部は、上記シャッタが、上記被写体からの光線を露光状態から遮光状態へ駆動する際、上記画像データ出力領域への光線を上記シャッタが遮光し終わる位置にいる時点で、上記画像データ出力領域への光線を上記可動ミラーが遮り始めるように、上記ミラー制御部の駆動タイミングを制御することを特徴とする請求項１又は請求項４に記載の撮像装置。
【請求項６】
上記シャッタはフォーカルプレーンシャッタであり、上記可動ミラーと上記シャッタは共に撮像装置に対して上下に駆動する、又は、
上記シャッタはフォーカルプレーンシャッタであり、上記可動ミラーと上記シャッタは共に撮像装置に対して左右に駆動する、
ことを特徴とする請求項１乃至請求項５に記載の撮像装置。
【請求項７】
上記シャッタはレンズシャッタであることを特徴とする請求項１乃至請求項５に記載の撮像装置。
【請求項８】
被写体像を画像データとして出力する撮像部と、
上記撮像部の画像データ出力領域の縦横及び／又はアスペクト比を制御する撮像領域制御部と、
被写体からの光線を上記撮像部へ導く、又はファインダへ導くように可動ミラーを制御するミラー制御部と、
上記被写体からの光線を上記撮像部へ露光状態にする、又は遮光状態にするようにシャッタを制御するシャッタ制御部と、
上記画像データ出力領域と上記可動ミラーの状態とに応じて、上記シャッタ制御部の駆動タイミングを制御するシャッタ駆動制御部と、
を有することを特徴とする撮像装置。
【請求項９】
被写体像を画像データとして出力する撮像部と、
上記撮像部の画像データ出力領域の縦横及び／又はアスペクト比を制御する撮像領域制御部と、
被写体からの光線を上記撮像部へ導く、又はファインダへ導くように可動ミラーを制御するミラー制御部と、
上記被写体からの光線を上記撮像部へ露光状態にする、又は遮光状態にするようにシャッタを制御するシャッタ制御部と、
上記画像データ出力領域と上記シャッタの状態とに応じて、上記ミラー制御部の駆動タイミングを制御するミラー駆動制御部と、
を有することを特徴とする撮像装置。
【請求項１０】
被写体像を画像データとして出力し、
上記画像データ出力領域の縦横及び／又はアスペクト比を制御し、
被写体からの光線を撮像部へ導く、又はファインダへ導くように可動ミラーを制御し、
上記被写体からの光線を上記撮像部へ露光状態にする、又は遮光状態にするにあたって、上記画像データ出力領域と上記可動ミラーの状態に応じて、シャッタの駆動タイミングを制御する、
ことを特徴とする撮像装置の制御方法。
【請求項１１】
被写体像を画像データとして出力し、
上記画像データ出力領域の縦横及び／又はアスペクト比を制御し、
上記被写体からの光線を撮像部へ露光状態にする、又は遮光状態にするようにシャッタを制御し、
被写体からの光線を上記撮像部へ導く、又はファインダへ導くように可動ミラーを制御するにあたって、上記画像データ出力領域と上記シャッタの状態とに応じて、上記可動ミラーの駆動タイミングを制御する、
ことを特徴とする撮像装置の制御方法。
【請求項１２】
被写体像を画像データとして出力する撮像部と、
被写体からの光線を上記撮像部へ導く、又はファインダへ導くように可動ミラーを制御するミラー制御部と、
上記可動ミラーが有効光線を遮蔽しない位置を検出するミラー位置検出部と、
上記被写体からの光線を上記撮像部へ露光状態にする、又は遮光状態にするようにシャッタを制御するシャッタ制御部と、
上記シャッタの位置を検出するシャッタ位置検出部と、
上記ミラー位置検出部によって検出された上記可動ミラーの位置に応じて、上記シャッタ制御部の駆動タイミングを制御するシャッタ駆動制御部と、
上記シャッタ位置検出部によって検出された上記シャッタの位置に応じて、上記ミラー制御部の駆動タイミングを制御するミラー駆動制御部と、
を有することを特徴とする撮像装置。
【請求項１３】
被写体像を画像データとして出力し、
被写体からの光線を撮像部へ導く、又はファインダへ導くように可動ミラーを制御するとともに、上記可動ミラーが有効光線を遮蔽しない位置を検出し、
上記被写体からの光線を上記撮像部へ露光状態にするにあたって、上記可動ミラーの検出した位置に応じて、シャッタの駆動タイミングを制御し、
上記被写体からの光線を上記撮像部へ露光状態にする、または遮光状態にするようにシャッタを制御するとともに上記シャッタの位置を検出し、
上記被写体からの光線を上記撮像部へ遮光状態にするにあたって、上記シャッタの検出された位置に応じて、上記可動ミラーの駆動タイミングを制御する、
ことを特徴とする撮像装置の制御方法。
【手続補正２】
【補正対象書類名】明細書
【補正対象項目名】００１６
【補正方法】変更
【補正の内容】
【００１６】
第１１の発明に係わる撮像装置の制御方法は、被写体像を画像データとして出力し、上記画像データ出力領域の縦横及び／又はアスペクト比を制御し、上記被写体からの光線を撮像部へ露光状態にする、又は遮光状態にするようにシャッタを制御し、被写体からの光線を上記撮像部へ導く、又はファインダへ導くように可動ミラーを制御するにあたって、上記画像データ出力領域と上記シャッタの状態とに応じて、上記可動ミラーの駆動タイミングを制御する。
第１２の発明に係る撮像装置は、被写体像を画像データとして出力する撮像部と、被写体からの光線を上記撮像部へ導く、又はファインダへ導くように可動ミラーを制御するミラー制御部と、上記可動ミラーが有効光線を遮蔽しない位置を検出するミラー位置検出部と、上記被写体からの光線を上記撮像部へ露光状態にする、又は遮光状態にするようにシャッタを制御するシャッタ制御部と、上記シャッタの位置を検出するシャッタ位置検出部と、上記ミラー位置検出部によって検出された上記可動ミラーの位置に応じて、上記シャッタ制御部の駆動タイミングを制御するシャッタ駆動制御部と、上記シャッタ位置検出部によって検出された上記シャッタの位置に応じて、上記ミラー制御部の駆動タイミングを制御するミラー駆動制御部と、を有する。
第１３の発明に係る撮像装置の制御方法は、被写体像を画像データとして出力し、被写体からの光線を撮像部へ導く、又はファインダへ導くように可動ミラーを制御するとともに、上記可動ミラーが有効光線を遮蔽しない位置を検出し、上記被写体からの光線を上記撮像部へ露光状態にするにあたって、上記可動ミラーの検出した位置に応じて、シャッタの駆動タイミングを制御し、上記被写体からの光線を上記撮像部へ露光状態にする、または遮光状態にするようにシャッタを制御するとともに上記シャッタの位置を検出し、上記被写体からの光線を上記撮像部へ遮光状態にするにあたって、上記シャッタの検出された位置に応じて、上記可動ミラーの駆動タイミングを制御する。
【手続補正３】
【補正対象書類名】明細書
【補正対象項目名】００６４
【補正方法】変更
【補正の内容】
【００６４】
シャッタ２１３は、シャッタ先幕２１３ａおよびシャッタ後幕２１３ｂの両幕が上から下に走行するタイプである。シャッタチャージよって、両幕が上部に保持され、シャッタ先幕２１３ａが下に向けて走行を開始することにより露光が開始し、露出時間経過後に、シャッタ後幕２１３ｂが下に向けて走行を開始し、最大画面に対する有効光線Ｌ４を通過すると、露光を終了する。ただし、これより小さい画面のアスペクト比が設定されている場合には、この画面に対する有効光線Ｌ３を通過すると実質的には露光を終了する。有効光線Ｌ３を通過するときのシャッタ後幕２１３ｂの位置をシャッタ閉位置Ｓ１と称し、有効光線Ｌ４を通過するときのシャッタ後幕２１３ｂの位置をシャッタ閉位置Ｓ２と称する。